(57)【要約】      （修正有）【課題】傾動可能なバックレストを備えた椅子を提供する。【解決手段】上端が開放された２つの後部管状要素１８を有するベース構造１２と、下端が開放され、前記ベース構造１２の管状要素１８と整合する２つの管状部分２２を有するバックレスト２０と、バックレスト２０の管状部分２２に挿入された上側支持部２６、ベース構造１２の対応する管状要素１８に挿入された下側支持部２８、上側支持部２６と下側支持部２８との間で傾動できるように撓み変形が可能な弾性要素を備えた、２つの弾性装置２４とを備える椅子において、弾性装置２４が上側支持部２６と下側支持部２８との間に互いに積み重ねて配置された複数のセクター４２を備え、弾性要素の休止位置においては、隣接するセクター４２の各対の間において、各弾性装置２４の後ろ側に複数のスリットが形成される。【選択図】図１
2010110626.tif 000002
【特許請求の範囲】
【請求項１】
座部（１４）を支持するベース構造（１２）であって、上端が開放された２つの後側管状要素（１８）を有するベース構造（１２）と、
下端が開放され、かつ前記ベース構造（１２）の管状要素（１８）と整合する２つの管状部分（２２）を有するバックレスト（２０）と、
前記バックレスト（２０）の管状要素（２２）に挿入された上側支持部（２６）、前記ベース構造（１２）の対応する管状要素（１８）に挿入された下側支持部（２８）、ならびに上側支持部（２６）に固定された上側伸張部（３０ａ）及び下側支持部（２８）に固定された下側伸張部（３０ｂ）を有する弾性要素（３０）を各々備えた、２つの弾性装置（２４）と、前記弾性要素（３０）は、上側支持部（２６）と下側支持部（２８）との間において傾くことができるように撓み変形可能であることとを備える椅子において、
前記弾性装置（２４）がそれぞれ、上側支持部（２６）と下側支持部（２８）との間で互いの上に配置された複数のセクター（４２）を備え、前記弾性要素（３０）が、前記セクター（４２）を通って延びる中央伸張部（３０ｃ）を有し、前記弾性要素（３０）の休止位置においては、隣接するセクター（４２）の各対の間において、各弾性装置（２４）の後側に複数のスリット（４６）が形成されることを特徴とする椅子。
【請求項２】
前記セクター（４２）が、互いに積み重ねられた別個の複数の本体によって形成される、請求項１に記載の椅子。
【請求項３】
前記セクター（４２）のそれぞれが、該セクターの前部の高さ（Ｈ”）よりも低い高さ（Ｈ’）を後部において有することを特徴とする、請求項２に記載の椅子。
【請求項４】
前記セクター（４２）のそれぞれに、隣接するセクター（４２）に相補的な形状のキャビティと係合する突出部（５２）が設けられることを特徴とする、請求項２に記載の椅子。
【請求項５】
前記突出部（５２）及び前記キャビティ（５４）が、相互に摺動接触するアーチ形の表面を有することを特徴とする、請求項４に記載の椅子。
【請求項６】
前記セクター（４２）が、長尺状モノリシック本体（５６）の一部を構成する、互いの上に配置された複数の部分によって形成されることを特徴とする、請求項１に記載の椅子。
【請求項７】
前記上側支持部（２６）及び下側支持部（２８）が、それぞれ一対の側部によって形成され、該一対の側部側部は、弾性要素（３０）の上側伸張部（３０ａ）又は下側伸張部（３０ｂ）の両側に固定されることを特徴とする、請求項１に記載の椅子。
【請求項８】
前記弾性要素（３０）が、互いに接触するように配置された複数の長尺片からなることを特徴とする、請求項１に記載の椅子。
【発明の詳細な説明】
【技術分野】
【０００１】
本発明は、弾性的に休止位置に付勢され、ユーザの背中によって後方に押されると傾くことができる、傾動可能なバックレストを備えた椅子に関する。
より詳細には、本発明は、バックレストが一対の弾性装置によってベース構造に連結され、各弾性装置が、バックレストの管状部分に挿入される上側支持部と、ベース構造の管状要素に挿入される下側支持部と、上側支持部と下側支持部との間で傾動を可能にする、撓み変形可能な弾性要素とを備える椅子に関する。
【背景技術】
【０００２】
特許文献１は、請求項１の前提部分に記載される特徴を有する傾動可能なバックレストを備えた椅子について開示している。特許文献１に記載される椅子では、各弾性装置は長尺状をなす板バネを備え、板バネの端部がそれぞれ、上側支持部及び下側支持部に固定される。各支持部の開放端は、バックレストの後方への傾きが最大となる位置において互いに接触して止まるフランジ構成を有する。
【０００３】
特許文献１に記載されている解決方法では、各弾性要素の２つの支持部の対向する端の間に、所望される角度でバックレストが後方に傾動できるための十分な寸法を有する空所が設けられている。特許文献１に記載されるように、この可動支持部間の大きな空間に、ユーザが挟み込まれるおそれがある。このおそれを低減するために、特許文献１に記載される解決方法では、各弾性要素の２つの支持部の間の開放領域を包囲する、可撓性構造を備えたベローズ形状の要素を設けられている。しかしながら、ベローズ形状の要素では、挟まれる危険性を完全になくすことはできず、不具合が生じやすく、また美観を損ねていた。
【先行技術文献】
【特許文献】
【０００４】
【特許文献１】国際公開第９１／０３１９１号
【発明の概要】
【発明が解決しようとする課題】
【０００５】
本発明の目的は、上述した欠点を解消する椅子を提供することにある。
【課題を解決するための手段】
【０００６】
本発明によれば、請求項１に記載される発明の特徴を有する椅子によって、上記目的が達せられる。
本発明の特徴及び効果は、以下の詳細な説明を読むことにより、明確になるであろう。なお、この説明は、添付の図面を参照して例を示すものであるが、本発明を限定することを意図したものではないことに注意されたい。
【図面の簡単な説明】
【０００７】
【図１】本発明による椅子の分解斜視図。
【図２】図１の椅子の側面図。
【図３】図１の矢印ＩＩＩによって示される弾性装置の分解斜視図。
【図４】図３の矢印ＩＶによって示される要素のいくつかを示す分解図。
【図５】図１のＶ−Ｖ線における弾性装置の軸方向断面図。
【図６】弾性装置が最も後方に傾いた位置にある、図５と同様の断面図。
【図７】本発明による弾性装置の変形例を示す軸方向断面図。
【発明を実施するための形態】
【０００８】
図１及び２を参照すると、本発明による傾動可能なバックレストを備えた椅子１０が示されている。椅子１０は、座部１４を支持するベース構造１２を備える。ベース構造１２は、椅子１０の前脚そして後脚を形成する二対の管状要素１６及び１８を備える。後脚を形成する管状要素１８は、その上端が開放されており、座部１４の後部とほぼ同一平面で終端している。
【０００９】
椅子１０は、２つの管状側部２２を有するバックレスト２０を備え、該管状側部２２は、その下端が開放され、ベース構造１２の管状要素１８と整合する。好ましくは、バックレスト２０は、プラスチック材料で形成されるアーチ形の本体によって構成される。
【００１０】
バックレスト２０は、２つの弾性装置２４によってベース構造１２に連結される。図３、図５及び図６を参照すると、各弾性装置２４は、上側支持部２６、下側支持部２８、及び撓み変形可能な弾性要素３０を備える。
【００１１】
弾性要素３０は、例えば、互いに並んで固定された一連の可撓性金属板３２によって構成することができ、各金属板３２は、長尺片の形状を有する。しかしながら、この構成は必須のものではない。構造上の観点から、弾性要素３０は、望ましい曲げ剛性を有するのであれば、様々な方法で形成することができる。
【００１２】
弾性要素３０は、上側支持部２６に固定される上部３０ａと、下側支持部２８に固定される下部３０ｂとを有する。選択的に、上側支持部２６及び下側支持部２８は各々、弾性要素のそれぞれの伸張部３０ａ、３０ｂの両側に固定された一対のシェル構造３４、３６によって形成される。
【００１３】
シェル構造３４、３６は、側部３４、３６と弾性要素３０の位置合わせされた穴を通って延びるリベット３８、４０によって、互いに固定される。好ましくは、側部３４、３６は、金属材料で形成される。どのような場合であっても、支持部３４、３６は別の方法で得ることができる。例えば、支持部は、キャビティを有するモノリシック本体によって構成されてもよく、該キャビティ内には、弾性要素３０の各伸張部３０ａ、３０ｂが受容されて、固定される。
【００１４】
支持部３４、３６は、非常に剛性が高く、変形しない。各弾性装置２４の上側支持部２６は、バックレスト２０の各管状部分２２に挿入されて、固定される。支持部２８は、ベース構造１２の対応する管状要素１８に挿入されて、固定される。支持部２６、２８は、力を加えることによって、管状部分２２、１８内に固定することができる。
【００１５】
各弾性装置２４は、互いの上に配置された複数のセクター４２を備え、セクター４２は、弾性要素３０の中央伸張部３０ｃを包囲する。セクター４２は、上側支持部２６の下端と下側支持部２８の上端との間に収容される。セクター４２は、弾性装置が図５に示される休止位置と図６に示される後方にそれた位置との間で変形できるように、互いに対して傾斜することができる。図５を参照すると、弾性要素３０の休止位置においては、弾性装置２４の後ろ側（すなわち、椅子１０の後部に面している側）において、隣接するセクター４２の各対の間に複数のスリット４６が形成される。スリット４６は、弾性要素３０の長手方向軸線にほぼ直交する。
【００１６】
図３〜図６に示される実施形態では、セクター４２は、別個の複数の本体によって形成される。セクターは、互いに整合した穴４４をそれぞれ有し、該穴４４内を通って、弾性要素３０の中央伸張部３０ｃが延在する。
【００１７】
図４を参照すると、各セクター４２は、前側上表面４８及び前側下表面５０を有する。セクター４２の前部の表面４８、５０は、穴４４の軸線に直交し、セクター４２の後部においては、表面が傾斜しており、各セクター４２は、その後部においては、その前部の高さＨ”よりも低い高さＨ’を有する。セクター４２が互いの上に積み重ねられると、隣接するセクターの各対の表面４８、５０の前部が互いに接触して、より低い高さを有する後部の間にスリット４６が形成される。
【００１８】
好ましくは、各セクター４２は、隣接するセクターの対応するキャビティ５４と係合する突出構造５２を有する。突出部５２及びキャビティ５４は、好ましくは、互いに摺動接触するアーチ形の表面を有する。セクター４２が常に相互に正しい方向に配向された組み付けを行うために、相補的な形状を有する前側突出部及びキャビティは、同様に相補的な形状を有する後側突出部及びキャビティとは異なる形状を有する。
【００１９】
図５及び図６を比較すると、休止位置（図５）においては、弾性要素３０が直線的であり、２つの支持部２６、２８が整合している。この状態においては、隣接するセクター４２の各対間のスリット４６は、弾性装置２４の後部に面している。
【００２０】
図６は、最も後方に傾いた位置にある弾性装置２４を示している。この状態では、弾性要素３０は後方に屈曲し、支持部２６、２８は、互いに対して傾斜している。表面４８、５０の後部は、互いに接触しており、下側支持部２８に対して上側支持部２６がそれ以上後方に傾くことを妨げている。よって、セクター４２は、バックレスト２０の後方に最も傾斜した位置を決定する、移動を止める停止装置を構成する。最も後方に傾斜した位置においては、スリット４６の厚みが消失し、スリットは、弾性装置２４の前部において、隣接したセクター４２の各対の間に形成される。
【００２１】
図２は、バックレスト２０の休止位置と、最も後方に傾斜した位置（点線にて示される）を示している。
図７は、本発明による弾性装置２４の変形例を示す。前述した構成要素に対応する構成要素には、同じ符号が付されている。
【００２２】
この変形例では、セクター４２は、モノリシック本体５６の一部を構成する、互いの上に配置された複数の部分によって形成される。本体５６の後部には、隣接するセクター４２を互いに分離する複数のスリット４６が設けられる。本体５６は、長手方向に延びる穴４４を有しており、該穴４４内に、弾性要素３０の中央伸張部３０ｃが延在する。好ましくは、スリット４６の内端は、長手方向に延びる穴４４まで延びる。
【００２３】
前述した変形例と同様に、隣接したセクター４２の各対の表面は、弾性要素３０が後方に屈曲すると互いに接触し、バックレストの最も後ろに傾斜した位置を決定する停止装置を形成する。
【００２４】
本発明による弾性装置の有利な特徴の一つは、スリット４６が非常に薄いため、ユーザを挟み込むおそれがないことである。そして、本発明の弾性装置２４は、屈曲領域の可撓性カバーを必要としない。審美的な観点からいうと、セクター４２の配列は、審美的な観点から注目を集め得る、バックレストの管状側部２２との審美的かつ洗練された連続性を形成する。
【００２５】
特許文献１と比較した場合の本発明の解決方法のさらなる利点としては、屈曲が一点に集中するのではく、複数のセクター４２に沿って分散されて行われる点が挙げられる。これにより、従来の椅子に比べて、明らかにより高いレベルの快適性をユーザに与えることができる。
【図１】
2010110626.tif 000003
【図２】
2010110626.tif 000004
【図３】
2010110626.tif 000005
【図７】
2010110626.tif 000006
【図４】
2010110626.tif 000007
【図５】
2010110626.tif 000008
【図６】
2010110626.tif 000009